(57)【要約】【課題】従来のバンドにはバックルが付いており、バックルにおける係合のためにバンドの特定部分のみが酷使され、寿命が短くされていた。また、バックルと細くて薄い帯状のもので連結されているバンド端部保持輪が紛失すると、バンドの端部がヒラヒラ動いて鬱陶しいということがあった。【解決手段】バンド本体１の表側には、全面にわたって蛇体模様要素７を施したループ体植設面ファスナー６を固着すると共に、上側端部１Ａには蛇の目部４を付けて蛇頭部５を形成する。バンド本体１の裏側の上側端部１Ａおよびその近くには、フック体植設面ファスナー８を固着する。バンドを締めるには、上側端部１Ａの裏側面を、バンド本体１の表側面の任意の位置に押圧係合する。【選択図】図１
0003139799.tif 000002
【実用新案登録請求の範囲】
【請求項１】
帯状のバンド本体の表側においては、表側全面にわたって蛇体模様要素が施されたループ体植設面ファスナーが固着されると共に、バンドを締めた場合に上側となる端部には蛇の目部を具えて蛇頭を連想させる蛇頭部が形成され、
バンド本体の裏側においては、バンドを締めた場合に上側となる端部およびその近傍にフック体植設面ファスナーが固着され
た構成とされ、
バンドを締める際には、前記上側となる端部の裏側をバンド本体の表側の任意の位置に押圧係合して締める
ことを特徴とするバンド
【請求項２】
裏面にフック体植設面ファスナーが固着された時計や歩数計の実用品あるいは鶴や亀を象ったものを初めとする純粋なアクセサリー体を、バンド本体の表側の任意の位置に着脱自在に付着可能とした
ことを特徴とする請求項１記載のバンド。
【考案の詳細な説明】
【技術分野】
【０００１】
本考案は、ズボン等に使用するバンドに関するものである。
【背景技術】
【０００２】
図３は、従来のバンドを示す図である。図３において、１はバンド本体、１Ａは上側端部、１Ｂは下側端部、２はバックル、３はバンド端部保持輪、２０はズボン、２１はバンド通しである。図３（１）はバンドを正面から見た図、図３（２）はバンドを上から見た図、図３（３）はズボンに使用した時の図である。
バンドは、言うまでもなく細い帯状をしており、端部は２つある。ズボン等に使用する際、バンドの端部は重ねられる形になるわけであるが、その時下側になる方の端部が下側端部１Ｂであり、上側になる方の端部が上側端部１Ａである。
【０００３】
図３（２）に示すように、バンド本体１の下側端部１Ｂはバックル２に固着される。その下側端部１Ｂの近くには、予めバンド端部保持輪３が設けられている。バンド端部保持輪３は、細くて薄い帯状のものでバックル２と連結されており、バックル２からあまり遠く離れないようにされている。
他方の端部である上側端部１Ａは、バックル２に挿通ないしは係合された後、バンド端部保持輪３に挿通される。バンド端部保持輪３への挿通により、上側端部１Ａはバックル２を出た後ヒラヒラせず、その下側になっているバンド本体１に沿った位置を保持するようにされる。
このようなバンドをズボンに使用する時には、図３（３）に示すように、ズボン２０に予め設けられているバンド通し２１に挿通して用いられる。
【特許文献１】特開平１１−２００１１４号公報
【考案の開示】
【考案が解決しようとする課題】
【０００４】
（問題点）
前記した従来のバンドには、次のような問題点があった。
第１の問題点は、バンド端部保持輪３が無くなると、上側端部１Ａをバンド本体１に沿った位置に保持することが難しく、ヒラヒラ動いて鬱陶しいという点である。
第２の問題点は、バックル２の存在によりバンド本体１の特定の一部分のみが酷使され、バンドの寿命が短くなるという点である。
【０００５】
（問題点の説明）
まず第１の問題点について説明する。バンド端部保持輪３をバックル２と連結しているのは、細くて薄い帯状のものであるので、いつの間にか切れてしまい、バンド端部保持輪３が無くなってしまうことがしばしばある。その場合、バックル２を出た後の上側端部１Ａがヒラヒラして、やたらに腕に触れたりして始末に終えなくなる。
ただ、バンド通し２１が設けられているズボン２０等に使用する際には、ズボン２０のバンド通し２１が、そのヒラヒラをある程度は押さえてくれる。しかし、ズボン２０のバンド通し２１の大きさは、ズボン２０をはく人の好みにより、種々の幅のバンドを使用することが予想されるので、多少大きめに作ってある。そのため、上側端部１Ａをバンド本体１にピッタリと沿わせて保持するという程の作用はしてくれない。
上側端部１Ａの先端付近が、丁度バンド通し２１のところに位置すれば、ヒラヒラを押さえる効果は一番あるわけであるが、その位置にあると先端が腕に触れてそのバンド通し２１から外れてしまう可能性が高く、大きなヒラヒラを招く可能性も高くなる。
【０００６】
次に第２の問題点について説明する。バックル２には大きく分けて２つのタイプがある。第１のタイプは、バックル２の金属棒をバンド本体１に開けた穴に係合するというタイプである。第２のタイプは、バックル２に挿通したバンド本体１をバックル２の部分で強く挟持するというタイプである。
第１のタイプのものでは、胴回りはそれほど変化しないから、係合する穴はいつも同じ穴になり、他の穴は殆ど使用されない。すると、いつも使用する穴は次第に大きくなると共に、度重なる係合により傷んで来る。バンド本体１も、いつもその穴の部分で折り曲げられるなど、その部分が酷使されるので、その部分の傷みが激しくなる。
第２のタイプのものでも、バックル２に強く挟持される部分はいつも決まった部分となり、そこが繰り返し挟持されるので、その部分の傷みが激しくなる。
従って、いずれのタイプのものでも、特定の一部分のみが酷使され、バンドの寿命が短くなってしまう。
本考案は、以上のような問題点を解決することを課題とするものである。
【課題を解決するための手段】
【０００７】
前記課題を解決するため、本考案のバンドでは、帯状のバンド本体の表側においては、表側全面にわたって蛇体模様要素が施されたループ体植設面ファスナーが固着されると共に、バンドを締めた場合に上側となる端部（上側端部）には蛇の目部を具えて蛇頭を連想させる蛇頭部が形成され、バンド本体の裏側においては、バンドを締めた場合に上側となる端部およびその近傍にフック体植設面ファスナーが固着された構成とする。
そして、バンドを締める際には、前記上側となる端部の裏側をバンド本体の表側の任意の位置に押圧係合して締めるようにする。
【０００８】
本考案のバンドに対しては、裏面にフック体植設面ファスナーが固着された時計や歩数計の実用品あるいは鶴や亀を象ったものを初めとする純粋なアクセサリー体を、バンド本体の表側の任意の位置に着脱自在に付着することが可能となる。
【考案の効果】
【０００９】
本考案のバンドによれば、次のような効果を奏する。
１．バンドを締めたとき、バンド本体の上側端部がバンド本体の表側面にピタリと沿った形で保持されるので、バンドの先端がヒラヒラして始末に困るということがない。
２．バックルを用いない構造としたので、バンド本体の特定の一部分のみが折り曲げ等で酷使されることがなくなり、バンドの寿命が長くなる。
３．バンド本体の表側面に固着する面ファスナーとしては、ループ体植設面ファスナーを用いたので、バンド本体の表側面がズボンのバンド通しや他の衣服に引っ掛かるようにこすれたり、糸屑やごみを付着させたりすることがない。
４．バンドの上側端部に蛇の目を付けて蛇頭部とすると共に、バンド本体の表側面に蛇体模様要素を施したので、全体として金運を招く蛇を連想させる構造となり、使用する者の心を豊にする。
【考案を実施するための最良の形態】
【００１０】
以下、本考案の実施形態を図面に基づいて詳細に説明する。
図１は、本考案のバンドの実施形態を示す図である。符号は図３のものに対応し、４は蛇の目部、５は蛇頭部、６はループ体植設面ファスナー、６−１はループ体、７は蛇体模様要素、８はフック体植設面ファスナー、８−１はフック体、９は面ファスナーシートである。
図１（１）は真っ直ぐに延ばしたバンドの表側面を示す図、図１（２）は裏側面を示す図、図１（３Ａ）はループ体植設面ファスナー６の構造を示す図、図１（３Ｂ）はフック体植設面ファスナー８の構造を示す図、図１（４）は丸くしたバンドの斜視図、図１（５）はバンドを締めた時の正面図である。
【００１１】
バンド本体１の表側面には、図１（１）に示すように、蛇体模様要素７が施されたループ体植設面ファスナー６を固着する。
一般に面ファスナーは第１，第２の種類の面から構成され、それら２種類の面を押当てることにより、面同士を係合させるものである。第１の種類の面には小さなループ体が無数に植設され、第２の種類の面には小さなフック体が無数に植設されている。そして、両者が押し当てられると、多数のループ体とフック体とが係合させられ、それにより面と面とが係合される。
図１（３Ａ）は、ループ体植設面ファスナー６の表面の一部を拡大して示した図である。面ファスナーシート９の表面に、ループ体６−１が無数に植設されている。バンド本体１の表側面には、このような構造のループ体植設面ファスナー６を固着する。
【００１２】
次に蛇体模様要素７であるが、本考案で言う蛇体模様要素７とは、バンド本体１の表側面全体にそれを施した場合、蛇の身体を思わせるような模様を作り出す模様要素を指すこととする。例えば、そのような模様要素として、図示する如き円を用いることが出来る。具体的には、ループ体植設面ファスナー６の地の色とは異なる色を円状に塗ったり、ループ体植設面ファスナー６を円形に打ち抜いたりして施す。
更に、バンド本体１の上側端部１Ａの表側は、恰も蛇の頭を連想させるような構造とする。即ち、端部に向かって少しテーパを付けると共に、２つの蛇の目部４を設けて蛇頭部５とする。蛇の目部４は、赤色とか金色を塗るとか、そのような色のプラスチックやガラスの小片を貼り付けたりすることによって形成することが出来る。
【００１３】
バンド本体１の裏側面の上側端部１Ａには、図１（２）に示すように、フック体植設面ファスナー８を固着する。そこから少し離れたところより、適宜の範囲にわたって更にフック体植設面ファスナー８を固着する。間隔を開けてフック体植設面ファスナー８を固着する理由は、その使用量を減らしてコストを安くしようとしたためである。従って、もう少し細かく範囲を分けて固着しても良いし、コストを気にしないなら連続して固着するようにしてもよい。
図１（３Ｂ）は、フック体植設面ファスナー８の表面の一部を拡大して示した図である。面ファスナーシート９の表面に、フック体８−１が無数に植設されている。バンド本体１の裏側面の上側端部１Ａおよびその近くの範囲には、このような構造のフック体植設面ファスナー８を固着する。
【００１４】
本考案のバンドを使用する際には、図１（４）のように表側面が外になるようにして丸くし、上側端部１Ａの裏側面のフック体植設面ファスナー８を、下側端部１Ｂの表側面のループ体植設面ファスナー６に押圧する。すると、フック体８−１とループ体６−１とが係合させられ、バンドの端部同士がしっかりと係合される。
図１（５）は、このように押圧係合したバンドを正面から見た図である。上側端部１Ａの裏側のフック体植設面ファスナー８が、上側端部１Ａの先端まで施してあるので、係合した際、その先端までピッタリとバンド表側のループ体植設面ファスナー６に係合するので、従来のバンドのように、上側端部１Ａがヒラヒラするようなことは、決して起こらない。
【００１５】
また、ループ体植設面ファスナー６が表側面全体に固着してあるので、上側端部１Ａは、バンド表側面のどの位置にでも係合することが出来、胴回りが小さい人にも大きい人にも、そのままの形で対応することが可能である。もし重なる長さを短くしたければ、下側端部１Ｂ側から適宜のところで切断し、そちらを廃棄すれば良い。
図１（４）や（５）から伺えるように、バンド本体１の表側面に蛇の目部４を具えた蛇頭部５、および蛇体模様要素７が施されたループ体植設面ファスナー６等により、全体として蛇を連想する形状となり、金運を招く縁起の良い形となっている。
【００１６】
図４は、本考案のバンドをズボンに使用した状況を示す図である。符号は図３，図１のものに対応し、２１Ｌはバンド通しである。
通常、ズボン２０を履いたり脱いだりする際に、バンド本体１の上側端部１Ａを抜いたり差したりするバンド通しは、左側の１番目のもの、つまり図中のバンド通し２１Ｌである。従って、バンドを抜き差しする度に、バンドの表側面はこのバンド通し２１Ｌの内側とこすれる。
もし、バンドの表側面にフック体植設面ファスナーを固着していれば、表側面のフック体が抜き差しの度にバンド通し２１Ｌに引っ掛かるようにこすれて鬱陶しい。しかしながら本考案では、バンドの表側面にはループ体植設面ファスナーの方を固着しているので、バンド通し２１Ｌの内側とこすれるのはループ体である。従って、こすれても引っ掛かるようなことはなく、滑らかである。
【００１７】
以上の説明から理解されるように、本考案のバンドは、表側面の全面に蛇体模様要素７を施したループ体植設面ファスナー６を固着すると共に、上側端部１Ａの表側の形状を蛇頭の形状とし、裏側面の上側端部１Ａおよびその近くの部分にフック体植設面ファスナー８を固着した構成とし、上側端部１Ａの裏側面をバンドの表側面の任意の位置に押圧係合させて、バンドとしての締結作用を行うようにしたものである。
そのような実用的な作用効果を奏する外、バンド全体を金運を招く蛇を連想する形状としたので、使用している人の心を豊にする効果も奏する。
【００１８】
ところで、従来のバンドにはバックルが付いているが、バックルはズボンのバンド通しを通す必要があるものとは考えられておらず（バンド通しを通すのはバンド本体のみと考えられていた）、バンド通しを通るような大きさとなるよう注意して作られてはいない。その結果、バックルはズボンのバンド通しに通すことが出来ない大きさとなっているのが通常である。
そのため、従来のバンドをズボンに装着する際には、バックル２が付いていない方の端部である上側端部１Ａを先頭にして、ズボンの正面の左側にある第１のバンド通しから、順々に通して行っていた。
これに対し本考案のバンドでは、そもそもバックルが存在しないので、ズボンに装着する際、どのバンド通しから通し始めてもよい。従来のように、ズボン正面左側の第１のバンド通し２１Ｌから始めてもよいし、ズボン背部のバンド通しから始めてもよい。
【００１９】
ところで、本考案のバンドの表側面にはループ体植設面ファスナーが固着されているから、フック体植設面ファスナーを裏面に取付けたアクセサリー体等を、バンドの前や横等任意の位置に着脱自在に付着させることが出来る。着脱自在であるから、時に応じていろいろなアクセサリー体等を付着して楽しむことが出来る。
図２は、本考案のバンドに取り付けるアクセサリー体等を説明する図である。符号は図１のものに対応し、１０は時計、１１は時計本体、１２，１３は時計バンド、１４はループ体植設面ファスナー、１５，１６はフック体植設面ファスナー、１７はアクセサリー体である。
【００２０】
図２（１）〜（３）は、時計１０をバンド本体１のループ体植設面ファスナー６に付着させる場合を示している。時計１０は、実用性を帯びているものであるから、純粋なアクセサリー体ということにはならない。しかし、ファッション性の方を重視して付着させようとする人にとっては、アクセサリー体と見ることも出来る。
図２（１）は時計１０の表側であり、図２（２）は裏側である。図２（３）は、時計１０をバンド本体１の表側面、つまりループ体植設面ファスナー６に取付けた状態を示している。時計バンド１２，１３の表面にはループ体植設面ファスナー１４を固着し、裏面にはフック体植設面ファスナー１５を固着しておく。
時計１０の裏面をバンド本体１のループ体植設面ファスナー６に押圧すれば、フック体植設面ファスナー１５がループ体植設面ファスナー６に係合されて、図２（３）に示すように時計１０をバンド本体１上に付着することが出来る。
【００２１】
時計１０をバンド本体１から外して腕に巻く場合は、時計バンド１２の端部を時計バンド１３の端部の上に重ねて押圧する。すると、フック体植設面ファスナー１５がループ体植設面ファスナー１４と係合して、時計バンドの端部同士は締結され、しっかりと腕に巻かれる。
締結機能だけから見れば、ループ体植設面ファスナー１４は時計バンド１３の表側のみに固着しておけばよい。しかし美的観点からみた場合、左右のバランスを良くした方が好ましいので、図２（１）の例では、時計バンド１２の表側にもループ体植設面ファスナー１４を固着してある。
【００２２】
なお、バンド本体１に付着し得る物であって、純粋なアクセサリー体でない物（実用性も有する物）としては、時計以外にもいろいろ考えられる。例えば歩数計も付着させることが出来る。
図２（４）〜（６）は、純粋なアクセサリー体１７をバンド本体１に付着させる場合を示している。適宜な形状に作られたアクセサリー体１７の裏面に、図３（５）のようにフック体植設面ファスナー１６が固着される。裏面全体にフック体植設面ファスナー１６を施すか一部だけに施すかは、アクセサリー体１７の重量，大きさ等により決定される。要するに、アクセサリー体１７をバンド本体１上に支持するに充分な付着力が得られればよい。
【００２３】
図２（６）は、アクセサリー体１７を、バンド本体１のループ体植設面ファスナー６上に付着した状態を示している。面ファスナーでの取付けであるから、着脱自在であり、好みに応じてアクセサリー体１７を交換してファッションを楽しむことが出来る。
純粋なアクセサリー体１７の例としては、昔から縁起の良いとされている鶴や亀を象ったもの、あるいはトランプのマークとして知られているハート，ダイヤ，スペード，三葉等々がある。
【図面の簡単な説明】
【００２４】
【図１】本考案のバンドの実施形態を示す図
【図２】本考案のバンドに取り付けるアクセサリー体を説明する図
【図３】従来のバンドを示す図
【図４】本考案のバンドをズボンに使用した状況を示す図
【符号の説明】
【００２５】
１…バンド本体、１Ａ…上側端部、１Ｂ…下側端部、２…バックル、３…バンド端部保持輪、４…蛇の目部、５…蛇頭部、６…ループ体植設面ファスナー、７…蛇体模様要素、８…フック体植設面ファスナー、９…面ファスナーシート、１０…時計、１１…時計本体、１２，１３…時計バンド、１４…ループ体植設面ファスナー、１５，１６…フック体植設面ファスナー、１７…アクセサリー体、２０…ズボン、２１…バンド通し
【図１】
0003139799.tif 000003
【図２】
0003139799.tif 000004
【図３】
0003139799.tif 000005
【図４】
0003139799.tif 000006